(57)【要約】【課題】ワイヤ吊下方式のスライド昇降棚をワイヤ巻取不要な態様で具体化することにより、デッドスペースが少なく而も製造し易い昇降棚を実現する。【解決手段】棚部１４とその水平移動も鉛直移動も可能にする支持機構１１，１２，１６と棚部１４を索条２６にて吊り下げながら上向きに付勢する釣合機構２０とを備えたスライド昇降棚１０において、釣合機構２０が、上下に揺動可能な揺動端部に索条１６を接続された揺動部材２３と、それに作用してその揺動端部を下向きに付勢する付勢部材２４と、揺動部材２６より高い所に設けられていて索条２６を折り返す回転軸２５とを具える。【選択図】        図１
2010172502.tif 000002
【特許請求の範囲】
【請求項１】
棚部と前記棚部の水平移動も鉛直移動も可能にする支持機構と前記棚部を索条にて吊り下げながら上向きに付勢する釣合機構とを備えたスライド昇降棚において、前記釣合機構が、上下に揺動可能な揺動端部に前記索条を接続された揺動部材と、前記揺動部材に作用して前記揺動端部を下向きに付勢する付勢部材と、前記揺動部材より高い所に設けられていて前記索条を折り返す回転軸とを具備していることを特徴とするスライド昇降棚。
【発明の詳細な説明】
【技術分野】
【０００１】
この発明は、棚を高いところから手前下方へ引き寄せることのできる昇降棚に関し、詳しくは、前後の水平移動と鉛直の上下動とが可能なスライド昇降棚に関する。
【背景技術】
【０００２】
従来の昇降棚には、棚部をリンク機構にて昇降可能に支持するとともに、リンクをスプリングで付勢することにより棚部を軽くしたり高所復帰させるようになっているものがある（例えば特許文献１参照）。
また、棚部をストッパー付スライドレールで水平移動可能に支持するとともに、ストッパー付ガイドレールで鉛直移動可能に支持したうえで、棚部を吊り下げているワイヤーをバランサースプリングにて巻き取ることにより、棚部の昇降を手で行っても軽く行えるものも知られている（例えば特許文献２参照）。
【先行技術文献】
【特許文献】
【０００３】
【特許文献１】特開昭６２−１３９６０４号公報
【特許文献２】特開平１０−３３２８１号公報
【発明の概要】
【発明が解決しようとする課題】
【０００４】
しかしながら、このような従来のスライド昇降棚の場合、後者のワイヤ吊下方式には、水平と鉛直という直交２方向に棚部が移動するためデッドスペースが少なくて空間の有効利用が図れるという利点がある一方、ワイヤを巻き取るバランサースプリングの組み込みを前提としたのでは、調達先が限られたり、コスト低減が難しかったりする。これに対し、リンクをスプリングで付勢する方式の前者には、安価で製造も容易という利点がある一方、棚部が湾曲した軌跡を描くことやリンク機構が複雑化・大形化しやすいこと等に起因して、デッドスペースが多くなり空間利用効率が良くないという弱点がある。
そこで、両者の利点を併せ持った昇降棚を提供することを目的として、デッドスペースが少なく而も製造し易い昇降棚を実現するべく、ワイヤ吊下方式のスライド昇降棚をワイヤ巻取不要な態様で具体化することが技術課題となる。
【課題を解決するための手段】
【０００５】
本発明のスライド昇降棚は（解決手段１）、このような課題を解決するために創案されたものであり、棚部と前記棚部の水平移動も鉛直移動も可能にする支持機構と前記棚部を索条にて吊り下げながら上向きに付勢する釣合機構とを備えたスライド昇降棚において、前記釣合機構が、上下に揺動可能な揺動端部に前記索条を接続された揺動部材と、前記揺動部材に作用して前記揺動端部を下向きに付勢する付勢部材と、前記揺動部材より高い所に設けられていて前記索条を折り返す回転軸とを具備している、というものである。
【発明の効果】
【０００６】
このような本発明のスライド昇降棚にあっては（解決手段１）、棚部を直交移動可能に支持するとともに索条吊下げにて上向きに付勢するワイヤ吊下方式が踏襲されているので、デッドスペースが少なくて済む。
しかも、索条利用の釣合機構が、索条を折り返して下向きに付勢することで具体化されているので、ワイヤ巻取を行わなくても済むうえ、棚部設置空間に無理なく収まる。
また、索条の引張りが、揺動部材と付勢部材との組み合わせで具体化されているので、リンク機構と付勢部材との組み合わせよりも、簡素かつ安価なものになっている。
【０００７】
さらに、そのような揺動付勢方式では、揺動端部に繋がれた索条端部が上下動時に弧状分だけ横振れするするため、索条の折り返し位置が変動するのを避けられないが、索条の折返しには回転軸が用いられていることから、回転軸の長さが十分に確保されてさえいれば索条の折返し位置は何ら制約されることなく軸方向の位置を変えられるようになっているので、簡素かつ安価な機構であっても不都合なく円滑に作動する。
したがって、この発明によれば、ワイヤ吊下方式のスライド昇降棚をワイヤ巻取不要な態様で而も簡素かつ安価に具体化したことにより、デッドスペースが少なく而も製造し易い昇降棚を実現することができる。
【図面の簡単な説明】
【０００８】
【図１】本発明の実施例１について、スライド昇降棚の構造と使用態様を示し、（ａ）が外観斜視図、（ｂ）が一部透視のＡＡ断面に係る正面図、（ｃ）が一部透視の右側面図である。
【図２】スライド昇降棚の昇降動作を示し、（ａ）〜（ｃ）何れも釣合機構の正面図と右側面図である。
【発明を実施するための形態】
【０００９】
このような本発明のスライド昇降棚について、これを実施するための具体的な形態を、図１〜２に示した実施例１により説明する。
【実施例１】
【００１０】
本発明のスライド昇降棚の実施例１について、その具体的な構成を、図面を引用して説明する。図１は、（ａ）が外観斜視図、（ｂ）が一部透視のＡＡ断面に係る正面図、（ｃ）が一部透視の右側面図である。なお、透視した部材は二点鎖線で図示している。
【００１１】
このスライド昇降棚１０は（図１（ａ）参照）、前面解放の箱体などからなり壁や天井などに取り付けて固定される固定部１１と、前後に伸縮するストッパー付スライドレール等からなり固定部１１に基端部が取り付けられた水平移動機構１２と、透明窓の形成された平板からなり水平移動機構１２の水平移動可能な先端部に取り付けられた前板１３と、前面解放の箱体などからなり固定部１１に収容しうる棚部１４と、この棚部１４の下面の前端に付設された把手１５と、上下に伸縮するストッパー付スライドレール等からなり基端部が水平移動機構１２と前板１３との何れか一方または双方に取り付けられ鉛直移動可能な先端部が棚部１４に取り付けられた鉛直移動機構１６とを具えている。
【００１２】
そのうち固定部１１と水平移動機構１２と鉛直移動機構１６とが棚部１４の支持機構をなしており、棚部１４は上昇位置で水平移動・前後移動が可能であり、前進位置で鉛直移動・上下動が可能なものとなっている。
また、スライド昇降棚１０は、棚部１４をステンレススチール製ワイヤロープ等の索条２６にて吊り下げながら上向きに付勢する釣合機構２０も具えている。この釣合機構２０は（図１（ｂ），（ｃ）参照）、水平移動機構１２の先端部のうち棚部１４の後方に位置する所に取り付けられていて、前板１３や棚部１４と一緒に前後方向へ水平移動しうるようになっている。
【００１３】
釣合機構２０は（図１（ｂ），（ｃ）参照）、水平移動機構１２の水平移動可能な先端部に取り付けられた枠体２１と、これに取り付けられた板体２２と、この板体２２に対して揺動中心の支軸を取り付けられたアーム状の揺動部材２３と、引張バネ等からなり一端が板体２２に取り付けられ他端が揺動部材２３に取り付けられた一対の付勢部材２４と、パイプ等の円筒部材や円柱部材からなる回転軸２５と、一端が棚部１４に繋がれ他端が揺動部材２３の揺動端部に繋がれた索条２６とを具えている。
【００１４】
回転軸２５は、枠体２１に取り付けられた軸受等で両端を支持されて軸回転可能になっており、揺動部材２３より高い所に設けられていて、水平な姿勢を保ち、外周面の上側部分に索条２６の中間部分を掛けられて索条２６を折り返すものとなっている。
揺動部材２３の揺動端部は、回転軸２５の下方で揺動することにより、棚部１４の昇降距離と同等の距離を、上下移動するものとなっている。
付勢部材２４は、揺動部材２３に対して常に回転モーメントを作用させることにより、揺動端部を下向きに付勢するものとなっている。
【００１５】
この実施例１のスライド昇降棚１０について、その使用態様及び動作を、図面を引用して説明する。図１（ａ）は設置先の外観斜視図であり、図２は、（ａ）〜（ｃ）何れも釣合機構の正面図と右側面図であって、（ａ）が棚部１４を下げた状態、（ｂ）が上げ下げの途中状態、（ｃ）が棚部１４を上げた状態を示している。
【００１６】
スライド昇降棚１０は、例えば調剤台８の上方などに設置されて（図１（ａ）参照）、調剤台８に収容しきれなかった医薬品や医療器具などの収納に用いられる。
把手１５に手を掛けて棚部１４を手前に引き出してから下げると、棚部１４が手の届くところに来て棚部１４の解放前面が露呈するので、収納品の出し入れを行う。
出し入れ終了後は、把手１５に手を掛けて上へ押し上げてから奥へ押すと、棚部１４が固定部１１の中に収まるとともに前板１３によって隠蔽される。
【００１７】
棚部１４の前進と後退は水平移動機構１２によって水平な直線移動に規制されるとともに手動でも軽快かつ円滑に行える。前板１３と釣合機構２０も棚部１４と一緒に軽快かつ円滑に進退する。
棚部１４の下降と上昇は鉛直移動機構１６によって鉛直な直線運動に規制されるとともに手動でも円滑に行える。前板１３は、棚部１４の下降時に棚部１４の前面を露呈させることが必要なため、昇降しない。釣合機構２０も昇降しない。釣合機構２０は、前板１３の後方にとどまって、棚部１４の軽快な昇降をサポートする。
【００１８】
具体的には、釣合機構２０が、付勢部材２４の引張力で揺動部材２３の揺動端部を下向きに付勢し、回転軸２５で折り返されている索条２６の両端をそれぞれ揺動部材２３の揺動端部と棚部１４の上部とに引っ張り合いさせることで、棚部１４を上向きに付勢し、これによって、棚部１４が軽くなる又は浮上することとなる。
そして、棚部１４を下降させると揺動部材２３の揺動端部が上昇し（図２（ａ）参照）、棚部１４を途中まで上昇させると揺動部材２３の揺動端部がそれに対応した分だけ下降して揺動部材２３が横になり（図２（ｂ）参照）、棚部１４を上昇させると揺動部材２３の揺動端部が下降する（図２（ｃ）参照）。
【００１９】
その際、揺動部材２３が揺動すると、それに伴って揺動端部が上下動するだけでなく左右にも或る程度は移動し、更にそれに伴って、索条２６の両端部のうち揺動端部に繋がれた方も弧状に移動して上下動しながら横振れする。そして、その横振れに随伴して、索条２６の折り返し位置が回転軸２５の長手方向において変動することとなるが、回転軸２５がその変動幅を包含するのに十分な長さに予め設計されているので、索条２６が円滑に折り返し部位を変えられて、揺動部材２３の揺動端部も棚部１４も軽快に昇降する。
【００２０】
［その他］
棚部１４の上下動についてブレーキやダンパーを作用させる場合、ブレーキやダンパーを回転軸２５や揺動部材２３に付設して、間接的に作用させるようにしても良い。
上記実施例では、個々に分離しているスライド昇降棚１０を図示したが、スライド昇降棚１０は、一連なりの固定部に複数の棚部１４や釣合機構２０を装備したものであっても良い。
【産業上の利用可能性】
【００２１】
本発明のスライド昇降棚は、医薬品等の収納に限らず、種々の物品の収納にも使用することができる。
【符号の説明】
【００２２】
８…調剤台、
１０…スライド昇降棚、１１…固定部（支持部）、
１２…水平移動機構（前後方向のスライドレール）、
１３…前板、１４…棚部、１５…把手、
１６…鉛直移動機構（上下方向のスライドレール）、
２０…釣合機構（バランサ）、２１…枠体、２２…板体、
２３…揺動部材、２４…付勢部材（引張バネ）、
２５…回転軸（パイプ）、２６…索条（ワイヤロープ）
【図１】
2010172502.tif 000003
【図２】
2010172502.tif 000004